【手続補正書】
【提出日】平成26年1月30日(2014.1.30)
【手続補正１】
【補正対象書類名】明細書
【補正対象項目名】０００１
【補正方法】変更
【補正の内容】
【０００１】
本発明は、表示装置を備え、遊技履歴の表示を行うパチンコやパチスロなどの遊技機に関する。
【手続補正２】
【補正対象書類名】明細書
【補正対象項目名】０００２
【補正方法】変更
【補正の内容】
【０００２】
従来、所定条件の成立に基づいて、複数の識別情報が変動する変動ゲームを行い、当該変動ゲームの結果に応じて遊技者に利益を付与する制御を実行可能であり、前記変動ゲームに関連する表示を表示可能な表示装置を備えたパチンコやパチスロなどの遊技機が知られている（例えば特許文献１参照）。
このような遊技機においては、例えば、過去に大当たりが発生した回数などの履歴情報を表示可能なものが知られている。
【手続補正３】
【補正対象書類名】明細書
【補正対象項目名】０００４
【補正方法】変更
【補正の内容】
【０００４】
従来の遊技機では、単に文字情報として現在の遊技機の履歴情報を報知するだけなので、当該遊技機に対する興味を引くものではなかった。
【手続補正４】
【補正対象書類名】明細書
【補正対象項目名】０００５
【補正方法】変更
【補正の内容】
【０００５】
本発明の目的は、パチンコやパチスロなどの遊技機において、単に文字情報として遊技情報を報知するのではなく、従来にない形態で履歴情報を報知することにより、当該遊技機に対する興味を引くことにある。
【手続補正５】
【補正対象書類名】明細書
【補正対象項目名】０００６
【補正方法】変更
【補正の内容】
【０００６】
以上の課題を解決するため、請求項１に記載の発明は、所定条件の成立に基づいて、複数の識別情報が変動する変動ゲームを行い、当該変動ゲームの結果に応じて遊技者に利益を付与する制御を実行可能であり、前記変動ゲームに関連する表示を表示可能な表示装置を備えた遊技機において、
当該遊技機の遊技に関する複数種類の履歴情報を記憶する履歴情報記憶手段と、
前記履歴情報記憶手段に記憶された履歴情報を報知するための履歴情報報知制御手段と、
前記履歴情報を報知するときの表示態様を複数記憶する履歴情報表示態様記憶手段と、
を備え、
前記履歴情報報知制御手段は、
前記履歴情報記憶手段に記憶された複数種類の履歴情報の内、報知することとなる特定の履歴情報に応じて前記履歴情報表示態様記憶手段に記憶された複数の表示態様の中から特定の表示態様を選択し、当該特定の履歴情報を選択された当該特定の表示態様に基づいて前記表示装置に表示して報知することを特徴とする。
【手続補正６】
【補正対象書類名】明細書
【補正対象項目名】０００７
【補正方法】変更
【補正の内容】
【０００７】
ここで、「表示態様」とは、例えば、履歴情報を報知する際、表示装置に表示される背景である。
請求項１に記載の発明によれば、報知することとなる特定の履歴情報に応じて前記履歴情報表示態様記憶手段に記憶された複数の表示態様の中から特定の表示態様を選択し、当該特定の履歴情報を選択された当該特定の表示態様に基づいて前記表示装置に表示して報知する。
従って、単に文字情報として現在の遊技機の履歴情報を報知するだけでなく、報知する履歴情報に応じて報知態様を変化させることにより、当該遊技機に対する興味を引くことができるようになる。
【手続補正７】
【補正対象書類名】明細書
【補正対象項目名】０００８
【補正方法】変更
【補正の内容】
【０００８】
請求項２に記載の発明は、請求項１に記載の遊技機であって、前記変動ゲームの結果が特別結果となった場合に、遊技者に有利な特別遊技状態が発生し、
前記特別遊技状態の終了後には、前記特別遊技状態の発生に関連して遊技者に付与される付加遊技価値が発生可能であり、
前記履歴情報報知制御手段は、前記付加遊技価値の発生に関連して前記表示態様を選択し、当該選択した表示態様に基づいて前記特定の履歴情報を報知することを特徴とする。
【手続補正８】
【補正対象書類名】明細書
【補正対象項目名】０００９
【補正方法】変更
【補正の内容】
【０００９】
ここで、「付加遊技価値」とは、例えば、高確率状態や時短状態にすることである。
請求項２に記載の発明によれば、付加遊技価値の発生に関連して表示態様を変化させることにより、当該遊技機の興趣を高めることができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
本発明によれば、パチンコやパチスロなどの遊技機において、報知する履歴情報に応じて報知態様を変化させることができるので、当該遊技機に対する興味を引くことができるようになる。
【手続補正１６】
【補正対象書類名】明細書
【補正対象項目名】０４８４
【補正方法】変更
【補正の内容】
【０４８４】
以上のように、第６実施形態の遊技機によれば、始動入賞領域（始動入賞口３６、普通変動入賞装置３７）への遊技球の入賞に基づいて、複数の識別情報を変動表示する特図変動表示ゲームを表示可能な表示装置４１と、特図変動表示ゲームの結果が特別結果（大当り）となった場合に、遊技者に有利な特別遊技状態を発生させる制御を行う制御手段（遊技制御装置１００、演出制御装置３００）と、を備えた遊技機において、制御手段は、当該遊技機の遊技に関する履歴情報（大当り履歴情報）を記憶する履歴情報記憶手段（演出制御装置３００）と、履歴情報記憶手段に記憶された履歴情報を報知するための履歴情報報知制御手段（演出制御装置３００）と、履歴情報を報知するときの履歴情報報知環境（表示態様）を複数有する報知環境テーブル（履歴画面表示テーブル、履歴情報表示態様記憶手段）を遊技履歴状態と対応付けて複数記憶する報知環境テーブル記憶手段（演出制御装置３００）と、を備え、履歴情報報知制御手段は、履歴情報記憶手段に記憶された履歴情報に基づき、当該遊技機が特定の遊技履歴状態にあるか否かを判定する判定手段（演出制御装置３００）を備え、判定手段によって特定の遊技履歴状態にあると判定された場合、特定の遊技履歴状態と対応する報知環境テーブル（特定履歴画面表示テーブルＡ,Ｂ）に基づき設定された履歴情報報知環境（表示態様ｊ〜ｌ,ｍ〜ｏ）において、履歴情報を報知したこととなる。
【手続補正１７】
【補正対象書類名】特許請求の範囲
【補正対象項目名】全文
【補正方法】変更
【補正の内容】
【特許請求の範囲】
【請求項１】
所定条件の成立に基づいて、複数の識別情報が変動する変動ゲームを行い、当該変動ゲームの結果に応じて遊技者に利益を付与する制御を実行可能であり、前記変動ゲームに関連する表示を表示可能な表示装置を備えた遊技機において、
当該遊技機の遊技に関する複数種類の履歴情報を記憶する履歴情報記憶手段と、
前記履歴情報記憶手段に記憶された履歴情報を報知するための履歴情報報知制御手段と、
前記履歴情報を報知するときの表示態様を複数記憶する履歴情報表示態様記憶手段と、
を備え、
前記履歴情報報知制御手段は、
前記履歴情報記憶手段に記憶された複数種類の履歴情報の内、報知することとなる特定の履歴情報に応じて前記履歴情報表示態様記憶手段に記憶された複数の表示態様の中から特定の表示態様を選択し、当該特定の履歴情報を選択された当該特定の表示態様に基づいて前記表示装置に表示して報知することを特徴とする遊技機。
【請求項２】
前記変動ゲームの結果が特別結果となった場合に、遊技者に有利な特別遊技状態が発生し、
前記特別遊技状態の終了後には、前記特別遊技状態の発生に関連して遊技者に付与される付加遊技価値が発生可能であり、
前記履歴情報報知制御手段は、前記付加遊技価値の発生に関連して前記表示態様を選択し、当該選択した表示態様に基づいて前記特定の履歴情報を報知することを特徴とする請求項１に記載の遊技機。